【手続補正書】
【提出日】平成18年10月5日(2006.10.5)
【手続補正１】
【補正対象書類名】特許請求の範囲
【補正対象項目名】請求項１
【補正方法】変更
【補正の内容】
【請求項１】
１度の撮影で得た撮像データに対し、画像処理の条件を変更しながら複数回処理を行って複数の画像データを取得する第１のモードと、前記画像処理を施していないＲＡＷデータと画像処理を施した画像データを共に出力する第２のモードとを実行可能な撮像装置であって、
記憶手段と、
前記第１のモード及び第２のモードが同時に選択された場合に、１枚のＲＡＷデータと、前記第１のモードで得られた複数枚の画像データとを前記記憶手段に出力するように制御する制御手段と
を有することを特徴とする撮像装置。
【手続補正２】
【補正対象書類名】特許請求の範囲
【補正対象項目名】請求項２
【補正方法】変更
【補正の内容】
【請求項２】
１度の撮影で得た撮像データに対し、画像処理の条件を変更しながら複数回処理を行って複数の画像データを取得する第１のモードと、画像処理を施した画像データを前記画像処理を施していないＲＡＷデータに埋め込んで出力する第２のモードとを実行可能な撮像装置であって、
記憶手段と、
前記第１のモード及び第２のモードが同時に選択された場合に、１枚のＲＡＷデータに、前記第１のモードで得られた複数枚の画像データを埋め込んで前記記憶手段に出力するように制御する制御手段と
を有することを特徴とする撮像装置。
【手続補正３】
【補正対象書類名】特許請求の範囲
【補正対象項目名】請求項５
【補正方法】変更
【補正の内容】
【請求項５】
前記画像処理は、色変換処理、エッジ強調処理、ガンマ変換処理、ホワイトバランス補正処理の少なくともいずれか１つを含むことを特徴とする請求項１乃至４のいずれかに記載の撮像装置。
【手続補正４】
【補正対象書類名】特許請求の範囲
【補正対象項目名】請求項６
【補正方法】変更
【補正の内容】
【請求項６】
１度の撮影で得た撮像データに対し、画像処理の条件を変更しながら複数回処理を行って複数の画像データを取得する第１のモードと、前記画像処理を施していないＲＡＷデータと画像処理を施した画像データを共に出力する第２のモードとを実行可能な撮像装置の制御方法であって、
前記第１のモード及び第２のモードの選択状態を判断する工程と、
前記第１のモード及び第２のモードが同時に選択された場合に、前記第１のモードを実行し、１枚のＲＡＷデータと、前記第１のモードで得られた複数枚の画像データとを記憶手段に出力する工程と
を有することを特徴とする制御方法。
【手続補正５】
【補正対象書類名】特許請求の範囲
【補正対象項目名】請求項７
【補正方法】変更
【補正の内容】
【請求項７】
１度の撮影で得た撮像データに対し、画像処理の条件を変更しながら複数回処理を行って複数の画像データを取得する第１のモードと、画像処理を施した画像データを前記画像処理を施していないＲＡＷデータに埋め込んで出力する第２のモードとを実行可能な撮像装置の制御方法であって、
前記第１のモード及び第２のモードの選択状態を判断する工程と、
前記第１のモード及び第２のモードが同時に選択された場合に、前記第１のモードによる処理を実行し、１枚のＲＡＷデータに、前記第１のモードで得られた複数枚の画像データを埋め込んで記憶手段に出力する工程と
を有することを特徴とする制御方法。
【手続補正６】
【補正対象書類名】特許請求の範囲
【補正対象項目名】請求項１０
【補正方法】変更
【補正の内容】
【請求項１０】
前記画像処理は、色変換処理、エッジ強調処理、ガンマ変換処理、ホワイトバランス補正処理の少なくともいずれか１つを含むことを特徴とする請求項６乃至９のいずれかに記載の制御方法。
【手続補正７】
【補正対象書類名】明細書
【補正対象項目名】００１０
【補正方法】変更
【補正の内容】
【００１０】
本発明は上記問題点を鑑みてなされたものであり、画像処理の条件を変更しながら複数回処理を行って複数の画像データを取得するモードと、画像処理を施していないＲＡＷデータと画像処理を施した画像データを共に出力するモード、または、ＲＡＷデータに画像処理を施した画像データを埋め込んで出力するモードが同時に選択されている場合に、ＲＡＷデータを複数回出力する無駄を省くことを目的とする。
【手続補正８】
【補正対象書類名】明細書
【補正対象項目名】００１１
【補正方法】変更
【補正の内容】
【００１１】
上記目的を達成するために、１度の撮影で得た撮像データに対し、画像処理の条件を変更しながら複数回処理を行って複数の画像データを取得する第１のモードと、前記画像処理を施していないＲＡＷデータと画像処理を施した画像データを共に出力する第２のモードとを実行可能な本発明の撮像装置は、記憶手段と、前記第１のモード及び第２のモードが同時に選択された場合に、１枚のＲＡＷデータと、前記第１のモードで得られた複数枚の画像データとを前記記憶手段に出力するように制御する制御手段とを有する。
【手続補正９】
【補正対象書類名】明細書
【補正対象項目名】００１２
【補正方法】変更
【補正の内容】
【００１２】
また、１度の撮影で得た撮像データに対し、画像処理の条件を変更しながら複数回処理を行って複数の画像データを取得する第１のモードと、前記画像処理を施していないＲＡＷデータと画像処理を施した画像データを共に出力する第２のモードとを実行可能な撮像装置の本発明の制御方法は、前記第１のモード及び第２のモードの選択状態を判断する工程と、前記第１のモード及び第２のモードが同時に選択された場合に、前記第１のモードを実行し、１枚のＲＡＷデータと、前記第１のモードで得られた複数枚の画像データとを記憶手段に出力する工程とを有する。
【手続補正１０】
【補正対象書類名】明細書
【補正対象項目名】００１３
【補正方法】変更
【補正の内容】
【００１３】
また、１度の撮影で得た撮像データに対し、画像処理の条件を変更しながら複数回処理を行って複数の画像データを取得する第１のモードと、画像処理を施した画像データを前記画像処理を施していないＲＡＷデータに埋め込んで出力する第２のモードとを実行可能な本発明の別の撮像装置は、記憶手段と、前記第１のモード及び第２のモードが同時に選択された場合に、１枚のＲＡＷデータに、前記第１のモードで得られた複数枚の画像データを埋め込んで前記記憶手段に出力するように制御する制御手段とを有する。
【手続補正１１】
【補正対象書類名】明細書
【補正対象項目名】００１４
【補正方法】変更
【補正の内容】
【００１４】
また、１度の撮影で得た撮像データに対し、画像処理の条件を変更しながら複数回処理を行って複数の画像データを取得する第１のモードと、画像処理を施した画像データを前記画像処理を施していないＲＡＷデータに埋め込んで出力する第２のモードとを実行可能な撮像装置の本発明の別の制御方法は、前記第１のモード及び第２のモードの選択状態を判断する工程と、前記第１のモード及び第２のモードが同時に選択された場合に、前記第１のモードによる処理を実行し、１枚のＲＡＷデータに、前記第１のモードで得られた複数枚の画像データを埋め込んで記憶手段に出力する工程とを有する。
【手続補正１２】
【補正対象書類名】明細書
【補正対象項目名】００１５
【補正方法】変更
【補正の内容】
【００１５】
上記構成によれば、１度の撮影で得た撮像データに対して画像処理の条件を変更しながら複数回処理を行って複数の画像データを取得するモードと、画像処理を施していないＲＡＷデータと画像処理を施した画像データを共に出力するモード、または、ＲＡＷデータに画像処理を施した画像データを埋め込んで出力するモードが同時に選択されている場合に、ＲＡＷデータを複数回出力する無駄を省くことができる。